(57)【要約】【課題】一つのカードに複数の機能を集約した複合カードの接続が可能であって、且つ、設計の自由度の高いカードコネクタの提供。【解決手段】このカードコネクタ３は、カード収容凹部４１内にカード２が収容されるカードトレイ４と、カードトレイ４が挿入されるトレイ挿入部５１を有するハウジング５と、カード２の表面に配置された基機能パッド２１，２１…と接触する基機能コンタクト６とを備え、カードトレイ４は、カード収容凹部４１の内面に突出し、カード２の外周面に配置された他機能パッド２２，２２…と接触するトレイ内蔵コンタクト７，７…を備え、ハウジング５は、カードトレイ４がトレイ挿入部５１に挿入された際にトレイ内蔵コンタクト７と接触するハウジング側コンタクト８，８…を備え、複合カード２を基板１に接続することができる。【選択図】図１
2018190589.tif 000002
【特許請求の範囲】
【請求項１】
カード収容凹部内にカードが収容されるカードトレイと、該カードトレイが挿入されるトレイ挿入部を有するハウジングと、該ハウジング内に配設され、前記カードの表面に配置された基機能パッドと接触する基機能コンタクトとを備えたカードコネクタにおいて、
前記カードトレイは、前記カード収容凹部の内面に突出し、前記カードの外周面又は裏面に配置された他機能パッドと接触するトレイ用弾性接触部を有するトレイ内蔵コンタクトを備え、
前記ハウジングは、前記カードトレイが前記トレイ挿入部に挿入された際に前記トレイ内蔵コンタクトと接触するハウジング側コンタクトを備えていることを特徴とするカードコネクタ。
【請求項２】
前記トレイ用弾性接触部は、前記カード収容凹部の対向する内壁面の一方又は両方から突出するように配置されている請求項１に記載のカードコネクタ。
【請求項３】
前記トレイ用弾性接触部は、前記カード収容凹部のトレイ挿入方向手前側内壁面部に配置されている請求項１又は２に記載のカードコネクタ。
【請求項４】
前記ハウジング側コンタクトは、前記トレイ挿入部のトレイ挿入方向奥側に配置されている請求項１〜３の何れか一に記載のカードコネクタ。
【請求項５】
前記トレイ内蔵コンタクトは、導電性金属材によって一体に形成され、前記トレイ用弾性接触部と、前記ハウジング側コンタクトと接触するトレイ側接続端子部と、前記トレイ用弾性接触部と前記トレイ側接続端子部とを接続するトレイ内蔵連結部とを備え、少なくとも前記トレイ内蔵連結部が前記カードトレイの樹脂部分に埋設されている請求項１〜４の何れか一に記載のカードコネクタ。
【請求項６】
前記トレイ内蔵コンタクトは、前記トレイ用弾性接触部と、前記ハウジング側コンタクトと接触するトレイ側接続端子部と、前記トレイ用弾性接触部と前記トレイ側接続端子部とを接続するトレイ内蔵連結部とを備え、
少なくとも前記トレイ内蔵連結部は、前記カードトレイに印刷された配線パターンによって形成されている請求項１〜４の何れか一に記載のカードコネクタ。
【発明の詳細な説明】
【技術分野】
【０００１】
本発明は、電子機器にカードを接続するためのカードコネクタに関する。
【背景技術】
【０００２】
従来、スマートフォン等の携帯電子端末の外部接続媒体には、それぞれ表面に信号伝達用端子（パッド）が配置されているＩＣカードやフラッシュメモリーカード等の複数種のカードが使用されている。
【０００３】
このような複数種のカードとスマートフォン等の電子機器とを接続する手段としては、複数種のカードを適宜選択して収容可能なカードトレイを備えている選択式のカードコネクタ（例えば、特許文献１を参照）や、複数種のカードを多段配置に接続する構造の多段式のカードコネクタ（例えば、特許文献２を参照）等が知られている。
【０００４】
選択式のカードコネクタは、複数種のカードを適宜選択して収容可能なカードトレイと、カードトレイが挿入されるトレイ挿入部を有するハウジングと、ハウジング内に配設されたコンタクトとを備えている。
【０００５】
この選択式のカードコネクタでは、選択されたカードに合わせて、それぞれのカードに対応する別のコンタクト群を備え、一方のコンタクト群をトレイ挿入部底板部のトレイ挿抜方向奥側に片寄せて配置し、他方のコンタクト群を手前側に片寄せて配置している。
【０００６】
一方、多段式のカードコネクタは、上下多段にトレイ挿入部を有するハウジングを備え、各トレイ挿入部の内底板部に各カードに対応したコンタクトがそれぞれ配設されている。
【０００７】
しかしながら、上述の選択式のカードコネクタでは、複数種のカードを同時に接続することができないという問題があり、多段式のカードコネクタでは、複数種のカードを同時に接続可能な反面、カードコネクタの厚みが増大し、カードコネクタ及びそれを内蔵する機器の小型化を阻害するという問題があった。
【０００８】
そこで、近年では、一つのカードに複数の機能を集約し、各機能に対応する複数のパッド群をカード表面に配置するようにしたカード（以下、複合カードという）も考案されており、この種の複合カードに適応したカードコネクタの開発が進められている。
【０００９】
この複合カードに適応したカードコネクタは、機能の異なる複数のパッド群をカードの表面に配置した複合カードに対応し、トレイ挿入部の内底面部に各コンタクト群が配置され、各パッド群に対応する一方のコンタクト群をトレイ挿入部底板部のトレイ挿抜方向奥側に片寄せて配置し、他方のコンタクト群を手前側に片寄せて配置している。
【先行技術文献】
【特許文献】
【００１０】
【特許文献１】特開２００８−１０８６９５号公報
【特許文献２】特開２０１０−２６７６０１号公報
【発明の概要】
【発明が解決しようとする課題】
【００１１】
しかしながら、上述の如き従来の技術では、トレイ挿入部の内底面部に複数のコンタクト群を配置するスペースを確保する必要があり、その分、複合カード及びカードコネクタの設計において自由度が制限されるという問題があった。
【００１２】
また、この種のカードコネクタでは、各パッド群に対応する一方のコンタクト群をトレイ挿入部底板部のトレイ挿抜方向奥側に片寄せて配置する構造であることから、挿抜時にカードトレイが傾いて挿入されたりすると、カードトレイが手前側のコンタクト群のコンタクトと意図しない方向から接触し、コンタクトが座屈するおそれがあった。
【００１３】
そこで、本発明は、このような従来の問題に鑑み、一つのカードに複数の機能を集約した複合カードの接続が可能であって、且つ、設計の自由度の高いカードコネクタの提供を目的としてなされたものである。
【課題を解決するための手段】
【００１４】
上述の如き従来の問題を解決するための請求項1に記載の発明の特徴は、カード収容凹部内にカードが収容されるカードトレイと、該カードトレイが挿入されるトレイ挿入部を有するハウジングと、該ハウジング内に配設され、前記カードの表面に配置された基機能パッドと接触するコンタクトとを備えたカードコネクタにおいて、前記カードトレイは、前記カード収容凹部の内面に突出し、前記カードの外周面又は裏面に配置された他機能パッドと接触するトレイ用弾性接触部を有するトレイ内蔵コンタクトを備え、前記ハウジングは、前記カードトレイが前記トレイ挿入部に挿入された際に前記トレイ内蔵コンタクトと接触するハウジング側コンタクトを備えていることにある。
【００１５】
請求項２に記載の発明の特徴は、請求項１の構成に加え、前記トレイ用弾性接触部は、前記カード収容凹部の対向する内壁面の一方又は両方から突出するように配置されていることにある。
【００１６】
請求項３に記載の発明の特徴は、請求項１又は２の構成に加え、前記トレイ用弾性接触部は、前記カード収容凹部のトレイ挿入方向手前側内壁面部に配置されていることにある。
【００１７】
請求項４に記載の発明の特徴は、請求項１〜３の何れか一の構成に加え、前記ハウジング側コンタクトは、前記トレイ挿入部のトレイ挿入方向奥側に配置されていることにある。
【００１８】
請求項５に記載の発明の特徴は、請求項１〜４の何れか一の構成に加え、前記トレイ内蔵コンタクトは、導電性金属材によって一体に形成され、前記トレイ用弾性接触部と、前記ハウジング側コンタクトと接触するトレイ側接続端子部と、前記トレイ用弾性接触部と前記トレイ側接続端子部とを接続するトレイ内蔵連結部とを備え、少なくとも前記トレイ内蔵連結部が前記カードトレイの樹脂部分に埋設されていることにある。
【００１９】
請求項６に記載の発明の特徴は、請求項１〜４の何れか一の構成に加え、前記トレイ内蔵コンタクトは、前記トレイ用弾性接触部と、前記ハウジング側コンタクトと接触するトレイ側接続端子部と、前記トレイ用弾性接触部と前記トレイ側接続端子部とを接続するトレイ内蔵連結部とを備え、少なくとも前記トレイ内蔵連結部は、前記カードトレイに印刷された配線パターンによって形成されていることにある。
【発明の効果】
【００２０】
本発明に係るカードコネクタは、請求項１に記載の構成を具備することによって、カード及びカードコネクタの設計の自由度が高く、基機能コンタクト、複合カードの他機能パッドに対応するコンタクトを自由に配置することができる。
【００２１】
また、本発明において、請求項２に記載の構成を具備することによって、トレイ側弾性接触部のバネ性によって、カード収容凹部内のカードを確実に保持することができる。
【００２２】
さらに、本発明において、請求項３に記載の構成を具備することによって、カードトレイをトレイ挿入部に挿入する際、トレイ用弾性接触部が基機能コンタクトの位置まで挿入されず、トレイ内蔵コンタクトと基機能コンタクトとの誤接触を防止することができる。
【００２３】
さらにまた、本発明において、請求項４に記載の構成を具備することによって、カード挿入部のトレイ挿入方向手前側にコンタクトが配置されないので、カードトレイの挿入初期において誤って斜め方向に挿入された場合であっても、カードトレイが基機能コンタクト及びハウジング側コンタクトに対する意図しない方向からの接触を防止し、各コンタクトの座屈を防止することができる。
【００２４】
また、本発明において、請求項５に記載の構成を具備することによって、トレイ内蔵コンタクトがインサート成形によってカードトレイに組み込まれ、安価且つ好適に製造することができる。
【００２５】
さらに、本発明において、請求項６に記載の構成を具備することによって、配線パターンの配置を自由に決定できるので、高い設計の自由度を得ることができる。
【図面の簡単な説明】
【００２６】
【図１】本発明に係るカードコネクタの実施態様の一例を示す縦断面図である。
【図２】同上のカードコネクタの分解平面図である。
【図３】（ａ）は同上のカードコネクタに使用する複合カードを示す平面図、（ｂ）は同正面図、（ｃ）は同底面図である。
【図４】(ａ)は図１中のカードトレイを示す底面図、（ｂ）は同Ａ−Ａ線矢視断面図である。
【図５】(ａ)は図１中のハウジングを示す縦断面図、（ｂ）は同Ｂ−Ｂ線矢視断面図である。
【発明を実施するための形態】
【００２７】
次に、本発明に係るカードコネクタ３の実施態様を図１〜図５に示した実施例に基づいて説明する。尚、図中符号１は基板、符号２はカード、符号３はカードコネクタである。
【００２８】
カード２は、例えば、フラッシュメモリーや集積回路等を内蔵し（特に図示せず）、メモリーカード等の基本機能とＩＣカード等の他機能とを備えた複合カードを形成している。
【００２９】
このカード２は、図３に示すように、薄型平板状に形成され、フラッシュメモリーに接続された複数のメモリーカード用パッド（以下、基機能パッドという）２１，２１…と、集積回路に接続された複数のＩＣカード用パッド（以下、他機能パッドという）２２，２２…とを備えている。
【００３０】
基機能パッド２１，２１…は、カード長手方向に向けた矩形状に形成され、カード２の片面（表面）の一方の端部に平行に配置されている。
【００３１】
他機能パッド２２，２２…は、カード２の外周面、本実施例では、長手方向一端側外周面（長手方向端面）にカード幅方向に間隔をおいて並べて配置されている。
【００３２】
尚、このカード２は、基機能パッド２１，２１…と他機能パッド２２，２２とが互いにカード長手方向で一定の距離を置いて配置され、通電時における絶縁距離を大きくとることができ、短絡し難くなっている。
【００３３】
カードコネクタ３は、カード２が収容されるカードトレイ４と、カードトレイ４が挿入されるトレイ挿入部５１を有するハウジング５と、ハウジング５内に配設され、カード２の表面に配置された基機能パッド２１，２１…と接触する基機能コンタクト６，６…とを備え、カード２を収容したカードトレイ４をトレイ挿入部５１に挿入することによってカード２の基機能パッド２１，２１…が対応する基機能コンタクト６，６…と接触し、基機能コンタクト６，６…を介して基板１に電気的に接続されるようになっている。
【００３４】
また、このカードコネクタ３は、カードトレイ４に他機能パッド２２，２２…と接触するトレイ内蔵コンタクト７，７…を備えるとともに、ハウジング５にトレイ内蔵コンタクト７，７…と接触するハウジング側コンタクト８，８…を備え、カードトレイ４がトレイ挿入部５１に挿入された際にトレイ内蔵コンタクト７，７…とハウジング側コンタクト８，８…とが接続され、トレイ内蔵コンタクト７，７…及びハウジング側コンタクト８，８…を介して他機能パッド２２，２２…が基板１に接続されるようになっている。
【００３５】
カードトレイ４は、図４に示すように、カード２が収容されるカード収容凹部４１を有する絶縁樹脂製のトレイ本体４２を備え、トレイ本体４２に各トレイ内蔵コンタクト７，７…が組み込まれ、カード収容凹部４１の内面に突出し、カード２の外周面に配置された他機能パッド２２，２２…と接触するようになっている。
【００３６】
トレイ本体４２は、平板状に形成され、その片面側にカード収容凹部４１が形成されるとともに、カード収容凹部４１のトレイ挿入方向奥側端部にコンタクト回避用凹部４３が形成されている。
【００３７】
尚、トレイ本体４２には、両側部にロック用凹部４２１，４２１を備え、カードトレイ４をトレイ挿入部５１に挿入した際、トレイ挿入部５１の両内側部に配置されたロック金具５６，５６と係合し、抜け止めされるようになっている。
【００３８】
カード収容凹部４１は、カード２の外形に整合し、且つ、トレイ本体４２の片面側に開口した凹穴状に形成され、片面側より嵌め込まれたカード２が、当該開口側に基機能パッド２１，２１…を露出させた状態で収容されるようになっている。
【００３９】
コンタクト回避用凹部４３は、トレイ本体４２の片面側及びカード挿抜方向に開口した凹状に形成され、カード収容凹部４１内に収容されたカード２の表面と段状を成し、コンタクト回避用凹部４３の凹底面がトレイ挿抜時に基機能コンタクト６，６…と干渉しないようになっている。
【００４０】
トレイ内蔵コンタクト７，７…は、基機能パッド２１，２１…と接触するトレイ側弾性接触部７１と、カードトレイ４の挿入方向先端側片面に露出したトレイ側接続端子部７２と、トレイ側弾性接触部７１とトレイ側接続端子部７２とを接続するトレイ内蔵連結部７３とを備えている。
【００４１】
尚、トレイ内蔵コンタクト７，７…は、導電性板材をプレス加工等によって一体成形し、トレイ側弾性接触部７１、トレイ側接続端子部７２及びトレイ内蔵連結部７３を備えるようにしてもよく、それぞれ別部品によって形成されたトレイ側弾性接触部７１、トレイ側接続端子部７２及びトレイ内蔵連結部７３を組み合わせることによって構成してもよい。
【００４２】
各トレイ側弾性接触部７１は、カード収容凹部４１の対向する内壁面の一方、本実施例では、挿入方向手前側内壁面４１aにトレイ幅方向に並べて配置され、カード収容凹部４１に収容されたカード２の外周面に配置された対応する各他機能パッド２２，２２…と接触するようになっている。
【００４３】
各トレイ側弾性接触部７１は、導電性金属板材によって形成され、カード収容凹部４１の内壁面部４１aに固定される固定部７１１と、固定部７１１に支持された弾性片部７１２とを備えている。
【００４４】
固定部７１１は、細長帯状に形成され、インサート成形又は圧入によってカード収容凹部４１の内壁面部４１ａに組み込まれている。
【００４５】
弾性片部７１２は、基端が固定部の一端に支持された片持ちバネ状に形成され、その先端側に円弧状の接点部７１３が一体に形成されている。
【００４６】
この弾性片部７１２は、カード収容凹部４１内に収容されたカード２の後端面に配置された他機能パッド２２，２２…に当接し、カード２をカード収容凹部４１の対向する内壁面の他方、即ち、挿入方向奥側内壁面４１ｂ側に押し付けるようになっている。
【００４７】
各トレイ側接続端子部７２，７２…は、導電性板材によって矩形状に形成され、トレイ本体４２のコンタクト回避用凹部４３の凹底面に露出した状態でトレイ幅方向に並べて埋め込まれている。
【００４８】
トレイ内蔵連結部７３は、導電性金属材によって形成され、トレイ本体４２の樹脂部分、例えば、底板部４２１に埋設された状態でトレイ側弾性接触部７１とトレイ側接続端子部７２とを電気的に接続している。尚、トレイ内蔵連結部７３は、一部（表面）が底板部４２１（樹脂部分）の表面に露出した状態で埋設されたものであってもよい。
【００４９】
尚、トレイ内蔵連結部７３の態様は、この実施例に限定されず、例えば、トレイ本体４２の外面又はカード収容凹部４１の内底面等に印刷された配線パターンによって形成してもよい。
【００５０】
ハウジング５は、図５に示すように、絶縁性樹脂製のモールド体５２と、導電性金属材からなるシールドカバー５３とを備え、モールド体５２にシールドカバー５３を組み合わせることにより形成されている。
【００５１】
モールド体５２は、平板状の底板部５２１と、底板部５２１の奥側及び側部より立ち上がった側壁５２２〜５２４とを備え、手前側及び上面が開口した凹部が形成され、凹部の上面をシールドカバー５３で覆うことにより、手前側に開口したトレイ挿入部５１が形成されている。
【００５２】
底板部５２１には、板厚方向に開口したコンタクト用窓５４，５５が形成され、各コンタクト用窓５４，５５には、インサート成形により、複数の基機能コンタクト６，６…及び複数のハウジング側コンタクト８，８…が組み込まれている。
【００５３】
基機能コンタクト６，６…は、導電性金属板材を打抜き折り曲げ加工することによって一体に形成され、底板部５２１に固定された固定片部６１と、固定片部６１の一端側により延出した弾性接触片６２と、固定片部６１の他端側より延出した基板接続端子片６３とを備えている。
【００５４】
弾性接触片６２は、先端側がトレイ挿入部５１内に突出した片持ちバネ状を成し、トレイ挿入方向に先端部に円弧状の接点部６４が一体に形成されている。
【００５５】
また、弾性接触片６２の突出高さは、コンタクト回避用凹部４３の凹底面、即ち、トレイ側接続端子部７２，７２…と接触しない高さに設定されている。
【００５６】
基板接続端子片６３は、固定片部６１の他端よりトレイ挿入方向手前側に向けて延出し、ハウジング５の底面側に露出し、基板１上に形成された接続パターンに半田付け等によって接続されるようになっている。
【００５７】
ハウジング側コンタクト８，８…は、導電性金属板材によって一体に形成され、底板部５２１に固定される固定片部８１と、固定片部８１の一端側に配置された弾性接触片部８２と、固定片部８１の他端側に配置された基板接続端子片部８３とを備えている。
【００５８】
固定片部８１は、細長帯状に形成され、インサート成形によって底板部５２１に埋設されている。
【００５９】
弾性接触片部８２は、固定片部８１の一端側より連続した弾性基部８２１と、弾性基部８２１の先端側より斜め上方向に向けて折り返した形状の弾性接触部８２２と、弾性接触部８２２の先端に一体に形成された接点部８２３とを備え、トレイ厚み方向に撓むバネ状を成している。
【００６０】
基板接続端子片部８３は、奥側に延出し、ハウジング５の底面側に露出し、基板１上に形成された接続パターンに半田付け等によって接続されるようになっている。
【００６１】
このカードコネクタ３では、カード２をカードトレイ４のトレイ収容凹部４１に嵌め込むと、トレイ内蔵コンタクト７のトレイ側弾性接触部７１，７１…がカード２の外周面に形成された他機能パッド２２，２２…に当接し、トレイ側弾性接触部７１，７１…と他機能パッド２２，２２…とが電気的に接続される。
【００６２】
また、トレイ側弾性接触部７１，７１…のバネ性によってカード２が他端側内壁４１ｂとの間で挟持され、カード収容凹部４１の開口側を下に向けても落下しない状態に保持される。
【００６３】
そして、カードトレイ４をトレイ挿入部５１の所定の位置まで挿入すると、カード２の表面に配置された各基機能パッド２１，２１…が対応する基機能コンタクト６，６…と接触するとともに、各トレイ内蔵コンタクト７，７…のトレイ側接続端子部７２がハウジング側コンタクト８，８…の弾性接触片部８２と接触し、カード２の基機能パッド２１，２１…及び他機能パッド２２，２２…がカードコネクタ３を介して基板１に接続される。
【００６４】
このように構成されたカードコネクタ３は、他機能パッド２２，２２…をカード外周面に配置し、他機能パッド２２，２２…と接続されるトレイ内蔵コンタクト７，７…をカードトレイ４に備えたことによって、このトレイ内蔵コンタクト７，７…と接触するハウジング側コンタクト８，８…の配置をハウジング５内の所望の位置に設定することが可能となり、カード２及びハウジング５の設計において自由度が高くなっている。
【００６５】
例えば、上述の実施例では、トレイ内蔵コンタクト７，７…のトレイ側接続端子７２，７２…をコンタクト回避用凹部４３の凹底面に配置した例について説明したが、トレイ側接続端子７２，７２…の位置は、レイ本体４２のトレイ挿入方向奥側端面に露出した配置やトレイ本体４２の側面等に設け、ハウジング側コンタクト８，８…をハウジング５の対応する位置に設けてもよい。
【００６６】
また、上述の実施例では、他機能パッド２２，２２…をカード２の長手方向一端側外周面（長手方向端面）に配置したが、他機能パッド２２，２２…をカード２の本実施例以外の外周面、即ち、長手方向端面、両側面の何れか一面又は複数面を適宜組み合わせて配置することもできる。
【００６７】
さらに、機能パッド２２，２２…は、基機能パッド２１，２１…が配置された面の裏面に配置することも可能である。
【００６８】
さらにまた、上述の実施例では、二つの機能を備えた複合カードについて説明したが、３種類以上の機能を集約したカードであってもよい。
【００６９】
また、このカードコネクタ２は、ハウジング側コンタクト８，８…をトレイ挿入部５１のトレイ挿入方向奥側に配置したことで、トレイ挿入部５１のトレイ挿入方向手前側の内底面にコンタクト群を配置せずともよく、トレイ挿入初期段階でカードトレイ４が斜めに傾いて挿入された場合であっても、カードトレイ４がコンタクトと意図しない方向から接触することを防止できる。
【００７０】
さらに、このカードコネクタ２は、トレイ用弾性接触部７１，７１…をカードトレイ４のトレイ挿入方向手前側に配置したことによって、カードトレイ挿入時にトレイ用弾性接触部７１，７１…が基機能コンタクト６，６の位置まで到達せず、トレイ内蔵コンタクト７と基機能コンタクト６との接触を防止することができ、且つ、通電時における両コンタクト６，７間の絶縁距離も確保でき、短絡し難くなっている。
【００７１】
また、このカードコネクタ３は、トレイ用弾性接触部７１，７１…がカード収容凹部４１の対向する内壁面の一方４１ａから突出するように配置されているので、トレイ用弾性接触部７１のバネ性によって、他方の内壁面４１ｂとの間にカード２を挟持することができ、収容されたカード２を確実に保持することができる。
【００７２】
尚、基機能コンタクト６、トレイ内蔵コンタクト７及びハウジング側コンタクト８の態様は、上述の実施例に限定されず、機能に対応した適宜異なる形状を採用することができる。
【００７３】
例えば、上述の実施例では、ハウジング側コンタクト８の弾性接触片部８２がバネ性を備え、トレイ側接続端子部７２に対し撓みつつ接触するようにした例について説明したが、トレイ側接続端子部７２をバネ構造とし、ハウジング側コンタクト８に対して撓みつつ接触するようにしてもよい。
【符号の説明】
【００７４】
１  基板
２  カード
２１  基機能パッド
２２  他機能パッド
３  カードコネクタ
４  カードトレイ
４１  カード収容凹部
４２  トレイ本体
４２１  ロック用凹部
４３  コンタクト回避用凹部
５  ハウジング
５１  トレイ挿入部
５２  モールド体
５２１  底板部
５３  シールドカバー
５４，５５  コンタクト用窓
５６  ロック金具
６  基機能コンタクト
６１  固定片部
６２  弾性接触片
６３  基板接続端子片
７  トレイ内蔵コンタクト
７１  トレイ側弾性接触部
７１１  固定部
７１２  弾性片部
７１３  接点部
７２  トレイ側接続端子部
７３  トレイ内蔵連結部
８  ハウジング側コンタクト
８１  固定片部
８２  弾性接触片部
８２１  弾性基部
８２２  弾性接触部
８２３  接点部
８３  基板接続端子片部
【図１】
2018190589.tif 000003
【図２】
2018190589.tif 000004
【図３】
2018190589.tif 000005
【図４】
2018190589.tif 000006
【図５】
2018190589.tif 000007